(57)【要約】【課題】  ガスレンジの汁受け皿等の皿形状の部分を、その深さにかかわらず覆うことができる金属箔成形体及び汁受け皿覆いを提供する。【解決手段】  マット本体２は、バーナー５３を挿通するための開口１４を有する平坦部１３と、平坦部１３の外周端に接続された傾斜部１２と、傾斜部１２の下方端に接続され、ガードプレート５８の底面５９を覆う底部１１と、底部１１の外周端に接続され、断面山形の突出部９を有する調整部８と、調整部８の外周端に接続され、周壁面６２の少なくとも一部に対応する立上り部７と、立上り部７の上方端に接続されたフランジ部６とから構成されている。突出部９を平坦化することによって、立上り部７の下方端と底部１１の外周端との距離が大きくなるので、底部１１のフランジ部６からの深さを調節でき、ガードプレート５８の深さにかかわらず、マット本体２を取付けることが可能となる。【選択図】        図７
2005299952.tif 000002
【特許請求の範囲】
【請求項１】
底面と前記底面の外周に接続された周壁面とを有する皿形状の部分を覆う、プレス成形により形成される金属箔成形体であって、
前記底面の内方面の少なくとも一部を覆う底部と、
前記周壁面の内方面の少なくとも一部を覆う立上り部と、
前記底部の外周端と前記立上り部の下方端との間に位置し、上方に突出する態様で前記立上り部に沿って連続的に形成された突出部を有する調整部とを備える、金属箔成形体。
【請求項２】
前記突出部は断面において山形に形成される、請求項１記載の金属箔成形体。
【請求項３】
前記突出部の前記山形を構成する屈曲部の各々は丸みを帯びるように形成される、請求項２記載の金属箔成形体。
【請求項４】
前記皿形状の部分は、ガスレンジのバーナーの周囲に配置される汁受け皿であり、
前記底部には前記バーナーを挿通するための開口が形成され、
前記立上り部は、前記調整部の外周端全体に環状に接続され、
前記立上り部の上方端に接続されて前記周壁面の外方へと延び、その下面が前記周壁面の上方端部に当接するように配置することができるフランジ部を更に備える、請求項１から請求項３のいずれかに記載の金属箔成形体。
【請求項５】
ガスレンジのバーナーの周囲に配置される汁受け皿を覆う汁受け皿覆いであって、
請求項４記載の金属箔成形体において前記底部が矩形形状に形成されたマット本体と、
その幅方向の寸法が前記底部の幅方向の寸法とほぼ等しい矩形形状を有するフラップ底部と、前記フラップ底部の幅方向に延びる一辺を除く三辺に接続され、前記調整部と同一断面形状を有するフラップ調整部と、前記フラップ調整部の外周端に接続され前記立上り部と同一断面形状を有するフラップ立上り部と、前記フラップ立上り部の上方端に接続され前記フランジ部と同一断面形状を有するフラップフランジ部とを備えたフラップ体とからなる、汁受け皿覆い。
【請求項６】
前記フラップ体は、前記一辺の少なくとも一部に接続された舌片を更に備える、請求項５記載の汁受け皿覆い。
【発明の詳細な説明】
【技術分野】
【０００１】
この発明は、金属箔成形体及び汁受け皿覆いに関し、特にシステムキッチンレンジのガードプレート等の皿形状の部分を覆う金属箔成形体及び汁受け皿覆いに関するものである。
【背景技術】
【０００２】
図１０は、従来の汁受け皿覆いの使用状態を示した平面図であり、図１１は、図１０で示したＸＩ−ＸＩラインの拡大端面図である。
【０００３】
これらの図を参照して、台所の調理台に埋め込み型のシステムキッチンレンジ５０が設置されている。システムキッチンレンジ５０は、その上面にほぼ矩形形状の開口を有するキッチントッププレート５１に嵌め込まれたガードプレート５８を中心に構成され、複数のバーナー５３と、バーナー５３の周囲に設置されたバーナーリング５４と、ガードプレート５８上に着脱自在に設置された五徳５６とを備えている。
【０００４】
ガードプレート５８は、全体としてほぼ矩形の皿形状を有し、バーナー５３を挿通するためのバーナー用開口５５を有する底面５９と、底面５９の外周端に底面５９とほぼ垂直に接続された周壁面６２と、周壁面６２の上方端部に接続され、五徳５６の枠体を載置するための段部６０と、段部６０に接続され水平方向に延びる平坦面６１とから構成されている。平坦面６１の外周端は下方に折り曲げられて、キッチントッププレート５１上に載置されている。このガードプレート５８は、調理時の吹きこぼれ等の汚れがシステムキッチンレンジ５０の内部へと侵入するのを防止するためのものである。
【０００５】
そして、このガードプレート５８上には、アルミ箔等の金属箔のプレス成形により形成され、ほぼ矩形形状を有するマット本体６４とフラップ体６５とが敷き詰められている。これらのマット本体６４及びフラップ体６５は、吹きこぼれ等の汚れがガードプレート５８に付着するのを防止するためのものである。
【０００６】
マット本体６４は、バーナー５３を挿通するための開口１４を有する環状の平坦部１３と、平坦部１３の外周に接続され、外周に向かって下降する円錐台側壁形状の傾斜部１２と、傾斜部１２の外周に接続され底面５９に沿う底部１１と、底部１１の外周に接続され、上方に延びる立上り部７と、立上り部７の上方端部に接続され、ほぼ水平方向に延びるフランジ６とから構成されている。尚、マット本体６４の外周端と開口１４を構成する内周端にはそれぞれ、縁巻５ａ及び５ｂが形成されている。
【０００７】
一方、フラップ体６５は、基本的な構成はマット本体６４と同様であるが、その底部は一様にフラットに形成されており、バーナーを挿通するための開口が形成されていない点がマット本体６４とは異なっている。
【０００８】
ここで、上記のように形成されたマット本体６４及びフラップ体６５の取付けについて説明する。
【０００９】
まず、五徳５６及びバーナーリング５４を取り外した後、バーナー５３が開口１４を挿通するようにマット本体６４をガードプレート５８の底面５９上に載置する。そして、立上り部７がガードプレート５８の周壁面６２に沿うように位置を調節すると、ガードプレート５８のバーナー用開口５５の周囲の底面５９と周壁面６２と平坦面６１の所定範囲とが、マット本体６４によって覆われた状態となる。同様の手順を繰り返して、各々のバーナー５３の周囲にそれぞれマット本体６４を設置する。次に、ガードプレート５８上のまだマット本体６４によって覆われていない隙間の部分にフラップ体６５を敷き詰めるように設置する。
【００１０】
尚、図１０では、３口のバーナー５３を有するシステムキッチンレンジ５０の例を示しているが、バーナー５３の数やガードプレート５８の大きさが異なる場合であっても、マット本体６４及びフラップ体６５を適宜組み合わせることによって、同様にしてガードプレート５８のほぼ全体を覆うことが可能となる。
【００１１】
このようにしてマット本体６４及びフラップ体６５をガードプレート５８に敷き詰めた後、バーナー５３の周囲にバーナーリング５４を設置すると共に、五徳５６の枠部をガードプレート５８の段部６０上に設置し、マット本体６４及びフラップ体６５の取付けが完了する。
【００１２】
以上のようにガードプレート５８のほぼ全体を覆うと、調理時の吹きこぼれ等の汚れはマット本体６４及びフラップ体６５上に落下するため、ガードプレート５８が汚れてしまうことが防止される。マット本体６４及びフラップ体６５が汚れてきた場合には、上述の手順によってマット本体６４及びフラップ体６５のうち汚れが目立つものだけを適宜交換することができるため経済的であり、常にガードプレート５８上を綺麗に覆った状態で使用することが可能となる。
【発明の開示】
【発明が解決しようとする課題】
【００１３】
上記のような従来のマット本体では、ガードプレートの底面だけでなく、周縁部分までも一体的に覆うことができるように立上り部にフランジ部が接続されている。
【００１４】
しかしながら、フランジ部と底部との高さが一定に維持されているため、この高さよりガードプレートの深さが深いシステムキッチンレンジに取付けようとすると、マット本体の底部がガードプレートの底面から浮いた状態となる。そうすると、バーナーとマット本体とが近づきすぎたり、マット本体上に設置するバーナーリングが不安定になったりするために、マット本体を取付けることができない場合が生じてしまう。
【００１５】
この発明は、上記のような課題を解決するためになされたもので、ガスレンジの汁受け皿等の皿形状の部分を、その深さにかかわらず覆うことができる金属箔成形体及び汁受け皿覆いを提供することを目的とする。
【課題を解決するための手段】
【００１６】
上記の目的を達成するために、請求項１記載の発明は、底面と底面の外周に接続された周壁面とを有する皿形状の部分を覆う、プレス成形により形成される金属箔成形体であって、底面の内方面の少なくとも一部を覆う底部と、周壁面の内方面の少なくとも一部を覆う立上り部と、底部の外周端と立上り部の下方端との間に位置し、上方に突出する態様で立上り部に沿って連続的に形成された突出部を有する調整部とを備えるものである。
【００１７】
このように構成すると、突出部を平坦化することによって底部の外周端と立上り部の下方端との距離が大きくなる。
【００１８】
請求項２記載の発明は、請求項１記載の発明の構成において、突出部は断面において山形に形成されるものである。
【００１９】
このように構成すると、断面山形の突出部の高さによって、底部の外周端と立上り部の下方端との調整可能な距離が規定される。
【００２０】
請求項３記載の発明は、請求項２記載の発明の構成において、突出部の山形を構成する屈曲部の各々は丸みを帯びるように形成されるものである。
【００２１】
このように構成すると、突出部の変形が容易となる。
【００２２】
請求項４記載の発明は、請求項１から請求項３のいずれかに記載の発明の構成において、皿形状の部分は、ガスレンジのバーナーの周囲に配置される汁受け皿であり、底部にはバーナーを挿通するための開口が形成され、立上り部は、調整部の外周端全体に環状に接続され、立上り部の上方端に接続されて周壁面の外方へと延び、その下面が周壁面の上方端部に当接するように配置することができるフランジ部を更に備えるものである。
【００２３】
このように構成すると、汁受け皿の深さに応じてフランジ部から底部までの深さを増加自在となる。
【００２４】
請求項５記載の発明は、ガスレンジのバーナーの周囲に配置される汁受け皿を覆う汁受け皿覆いであって、請求項４記載の金属箔成形体において底部が矩形形状に形成されたマット本体と、その幅方向の寸法が底部の幅方向の寸法とほぼ等しい矩形形状を有するフラップ底部と、フラップ底部の幅方向に延びる一辺を除く三辺に接続され、調整部と同一断面形状を有するフラップ調整部と、フラップ調整部の外周端に接続され立上り部と同一断面形状を有するフラップ立上り部と、フラップ立上り部の上方端に接続されフランジ部と同一断面形状を有するフラップフランジ部とを備えたフラップ体とからなるものである。
【００２５】
このように構成すると、マット本体の幅方向に延びる一辺と、フラップ体のフラップ調整部が形成されない一辺とを対向させて配置すると、フラップ体の底部とマット本体のフランジ部とが上下方向に重なった状態となる。
【００２６】
請求項６記載の発明は、請求項５記載の発明の構成において、フラップ体は、一辺の少なくとも一部に接続された舌片を更に備えるものである。
【００２７】
このように構成すると、フラップ体の設置時に舌片をフラップ底部に対して垂直下方に折り曲げておくと、汁受け皿に配置した場合、フラップ底部の舌片の接続された一辺が他の辺よりも高い位置に配置される。
【発明の効果】
【００２８】
以上説明したように、請求項１記載の発明は、突出部の平坦化によって底部の外周端と立上り部の下方端との距離が大きくなるため、皿形状の部分の深さに応じて、底部の深さを調整することが可能となる。また、突出部を平坦化させない状態では、金属箔成形体全体の厚みがコンパクトになる。
【００２９】
請求項２記載の発明は、請求項１記載の発明の効果に加えて、断面山形の突出部の高さによって、底部の外周端と立上り部の下方端との調整可能な距離が規定されるため、皿形状部分の深さに対する調整代を所望の大きさに設定することが可能となる。
【００３０】
請求項３記載の発明は、請求項２記載の発明の効果に加えて、突出部の変形が容易となるため、底部と立上り部上端との高さの調整がしやすく使い勝手が良い。
【００３１】
請求項４記載の発明は、請求項１から請求項３のいずれかに記載の発明の効果に加えて、汁受け皿の深さに応じてフランジ部から底部までの深さを増加自在となるため、汁受け皿の深さにかかわらず、底面から汁受け皿の周壁面の外方までを安定した状態で一体的に覆うことが可能となる。
【００３２】
請求項５記載の発明は、請求項４記載の発明の効果に加えて、マット本体の幅方向に延びる一辺とフラップ体の調整部が接続されない一辺とを対向させて配置すると、フラップ体の底部とマット本体のフランジ部とが上下方向に重なった状態となるため、汁受け皿上のより広い範囲を隙間なく覆って、汁受け皿の汚れを確実に防止することが可能となる。
【００３３】
請求項６記載の発明は、請求項５記載の発明の効果に加えて、フラップ体の設置時に舌片をフラップ底部に対して垂直下方に折り曲げておくと、汁受け皿に配置した場合、フラップ底部の舌片の接続された一辺が他の辺よりも高い位置に配置されるため、吹きこぼれ等の汚れがフラップ底部から流出することが防止される。
【発明を実施するための最良の形態】
【００３４】
図１は、この発明の第１の実施の形態による汁受け皿覆いの一部を構成するマット本体の外観形状を示した平面図であり、図２は、図１で示したＩＩ−ＩＩラインの拡大端面図であり、図３は、図１で示したＩＩＩ−ＩＩＩラインの拡大断面図である。尚、図２及び図３では、縁巻部分を拡大して記載している。
【００３５】
これらの図を参照して、マット本体２は、アルミ箔等の金属箔のプレス成形によって形成され、バーナーを挿通するための開口１４を有する環状の平坦部１３と、平坦部１３の外周端に接続され、裾に向かって広がるように傾斜する平面視楕円形状の傾斜部１２と、傾斜部１２の下方端に接続され、システムキッチンレンジのガードプレート等の底面の少なくとも一部に対応し、外郭がほぼ矩形形状の底部１１と、底部の外周端に接続され、断面山形の突出部９を有する調整部８と、調整部８の外周端に接続されて上方に延び、ガードプレート等の周壁面の少なくとも一部に対応する立上り部７と、立上り部７の上方端に接続され、ほぼ水平方向に外方へと延びるフランジ部６とから構成されている。そして、マット本体２の端縁部分、すなわち、フランジ部６の外周端縁及び平坦部１３の内周端縁にはそれぞれ、縁巻５ａ及び５ｂが形成されている。
【００３６】
尚、断面において、山形形状の突出部９を構成する屈曲部１０ａ〜１０ｃはそれぞれ、丸みを帯びるように形成されているが、この点については後述する。
【００３７】
図４は、この発明の第１の実施の形態による汁受け皿覆いを構成するフラップ体の外観形状を示した平面図であり、図５は、図４で示したＶ−Ｖラインの拡大断面図である。尚、図５においても、縁巻部分を拡大して記載している。
【００３８】
これらの図を参照して、マット本体と共に汁受け皿覆いを構成するフラップ体３は、アルミ箔等の金属箔のプレス成形によって外郭がほぼ矩形形状に形成され、幅方向に延びる一辺側を除いた部分は、先の図２及び図３で示したマット本体と断面形状がほぼ同一となるように形成されている。すなわち、フラップ体３は、ガードプレート等の皿形状の底面の少なくとも一部に対応するほぼ矩形形状の底部２２と、底部２２の三辺の外周端に接続され、断面山形の突出部２４を有する調整部２３と、調整部２３の外周端に接続されて上方に延び、ガードプレート等の周壁面の少なくとも一部に対応する立上り部２１と、立上り部２１の上方端に接続され、ほぼ水平方向に外方へと延びるフランジ部２０とから構成されている。
【００３９】
更に、フラップ体３の底部２２の幅方向に延びる一辺には、外方へ突出するように舌片１９が接続され、舌片１９の接続部分には舌片１９を底部２２に対して垂直下方へ折り曲げ容易とする折り曲げ線１８が形成されている。この舌片１９の機能についても後述する。
【００４０】
尚、フラップ体３の外周端縁の全体には、先に示したマット本体と同様に縁巻１６が形成されている。また、フラップ体３の突出部２４を構成する屈曲部２５ａ〜２５ｃの各々が、丸みを帯びるように形成されている点についても、先に示したマット本体と同様である。
【００４１】
ここで、上述したマット本体及びフラップ体のシステムキッチンレンジへの使用状態について説明する。
【００４２】
図６は、この発明の第１の実施の形態による汁受け皿覆いの使用状態の一例を示した平面図であり、図７は、図６で示したＶＩＩ−ＶＩＩラインの拡大端面図であり、図８は、図６で示したＶＩＩＩ−ＶＩＩＩラインの拡大端面図である。
【００４３】
これらの図を参照して、システムキッチンレンジ５０に嵌め込まれたガードプレート５８の皿形状部分を覆うように、汁受け皿覆い１を構成するマット本体２及びフラップ体３が敷き詰められている。
【００４４】
汁受け皿覆い１の取付け時には、まず、五徳５６及びバーナーリング５４を取り外して、ガードプレート５８の底面上にマット本体２を設置する。このとき、立上り部７が周壁面６２の一部に対応するようにマット本体２を配置して、ガードプレート５８のバーナー用開口５５から周壁面６２までの範囲がマット本体２によって一体的に覆われた状態とする。
【００４５】
また、フラップ体３の取付け時には、舌片１９が底部２２に対してほぼ垂直下方となるように折り曲げ線１８を予め山折りに折り曲げておき、折り曲げ線１８の部分が隣接するマット本体４のフランジ部６の下方に位置するようにガードプレート５８上に設置する。このように、マット本体４の幅方向に延びる一辺と、フラップ体３において調整部が形成されない一辺とを対向させた状態で設置すると、フランジ部６とフラップ体３の底部２２の一部とが上下方向に重なり合った状態となる。よって、ガードプレート５８上のより広い範囲を隙間なく覆うことができ、調理時の吹きこぼれ等による底面５９の汚れを確実に防止することが可能となる。また、舌片１９の折り曲げによって折り曲げ線１８の部分、すなわち、フラップ体３の底部２２の幅方向に延びる一辺が他の辺よりも上方に配置されるため、底部２２上に落下した吹きこぼれ等の汚れがガードプレート５８上へと流出してしまうことが抑制される。
【００４６】
マット本体２及びフラップ体３をガードプレート５８上に敷き詰めた後、ガードリング５４をバーナー５３の周囲に取付け、更に五徳５６をガードプレート５８の段部６０上に載置すると、汁受け皿覆い１の取付けが完了する。尚、この例では、３口のバーナー５３を有するシステムキッチンレンジ５０に取付けた例を示したが、バーナー５３の数やガードプレート５８の大きさが異なる他の機種についても、マット本体２及びフラップ体３の使用数や配置を変更して同様に取付けることが可能である。更に、この例では、フラップ体３をマット本体４のフランジ部６と重ねて設置しているが、汁受け皿覆い１の取付け状況に応じて、他のフラップ体のフランジ部と重ねて配置しても良い。
【００４７】
次に、マット本体及びフラップ体の深さ調整機能について説明する。
【００４８】
図９は、この発明の第１の実施の形態による汁受け皿覆いの深さ調整の過程を示した図である。
【００４９】
まず、図９の（１）を参照して、マット本体２を先の図７で示したものより深いガードプレート５８を有するシステムキッチンレンジに取付ける場合、マット本体２を単にガードプレート５８に設置しただけの状態では、フランジ部６が平坦部６１に当接するため、底部１１は底面５９から浮き上がった状態となる。
【００５０】
そこで、底部１１の深さをガードプレート５８の深さに合うように調整するために、突出部９の屈曲部１０ｂを矢印の方向へと押し下げるように変形させる。すると、図９の（２）に示すように、立上り部７の下端と底部１１の外周端との距離が大きくなる。このとき、屈曲部１０ａ〜１０ｂの各々は丸みを帯びるように形成されているので、突出部９の変形を容易に行うことができ、深さの調整の操作がしやすくなっている。
【００５１】
更に、矢印の方向へと突出部９を押し下げて、図９の（３）に示すように突出部９を平坦化すると、マット本体２の底部１１と、突出部９が平坦化された調整部８と、立上り部７とによって、ガードプレート５８の底面５９に沿う位置から周壁面６２までの範囲が安定して覆われた状態となる。
【００５２】
このように、使用時には、突出部９の平坦化によって立上り部７の下端と底部１１の外周端との距離が大きくなるため、ガードプレート５８の深さに応じて底部の深さを調整することが可能となる。マット本体２には、フランジ部６が形成されているが、フランジ部６が平坦面６１上面を覆った状態のまま、底部１１をガードプレート５８の底面５９に沿う位置まで調整することができるので、ガードプレート５８の深さにかかわらず、底面５９から平坦面６１までを安定した状態で一体的に覆うことが可能となる。
【００５３】
また、マット本体２をガードプレート５８が浅いガスレンジに合わせて形成し、必要に応じて深さを増加自在な構成とすることによって、マット本体２全体の厚みはコンパクトになる。よって、マット本体２の流通時には製品の保管や輸送等に要するスペースを小さくすることが可能となる。
【００５４】
更に、この実施の形態では、突出部９は断面山形に形成されているため、突出部９の平坦化によって調整可能となる立上り部７の下端と底部１１の外周端との距離は、山形部分の高さにより規定されることになる。したがって、突出部９の山形の高さによって、ガードプレート５８の深さに対する調整代を容易に所望の大きさに設定することができる。
【００５５】
ここでは、マット本体２の高さ調整機能についてのみ説明したが、フラップ体についても、マット本体２と同一断面形状の調整部が形成されているので、マット本体２と同様に底部の高さ調整を行うことが可能である。
【００５６】
尚、上記の実施の形態では、システムキッチンレンジ用の汁受け皿覆いに適用しているが、必ずしもこのような用途に限られるものではなく、他のガスレンジの汁受け皿覆いや、汁受け皿以外の皿形状の部分を覆う金属箔成形体にも同様に適用することが可能である。
【００５７】
また、上記の実施の形態では、マット本体とフラップ体とからなる汁受け皿覆いに適用しているが、必ずしもこのような複数の分割体よりなる汁受け皿覆いに限られるものではなく、それ自身でガードプレート等の全体を一体的に覆う汁受け皿覆いにも同様に適用することが可能である。
【００５８】
更に、上記の実施の形態では、汁受け皿覆いはマット本体とフラップ体とから構成されているが、必ずしもこのように構成する必要はなく、フラップ体はなくても良い。
【００５９】
更に、上記の実施の形態では、マット本体の奥行き方向の断面の一部における突出部と傾斜部との間には平坦な部分が形成されていないが、必ずしもこのように構成する必要はなく、当該部分を他の部分における底部と同様に平坦に形成しても良い。ここで、底部とは必ずしも平坦に形成された部分に限定されるものではなく、ガードプレート等の皿形状の底面の少なくとも一部を覆うことができる形状であれば良い。
【００６０】
更に、上記の実施の形態では、突出部は１つの断面山形の部分により形成されているが、必ずしもこのように構成する必要はなく、突出箇所を複数設けたり、例えば蛇腹形状や円弧形状のように他の断面形状に形成したりしても良い。
【００６１】
更に、上記の実施の形態では、突出部を構成する屈曲部の各々が丸みを帯びるように形成されているが、必ずしもこのように構成する必要はなく、少なくとも１つの屈曲部が角張るように形成しても良い。
【００６２】
更に、上記の実施の形態では、周壁面の外方を覆うフランジ部を備えているが、必ずしもこのように構成する必要はなく、フランジ部はなくても良い。
【００６３】
更に、上記の実施の形態では、突出部を有する調整部を皿形状の部分の内部を覆う金属箔成形体に適用しているが、皿形状の部分の内部を覆う代わりに、例えば換気扇のような箱形形状を有する物品の外方面全体を覆う金属箔成形体に適用しても良い。この場合、突出部の向きを逆にしておけば、深さ方向の寸法を調整して、当該物品の厚みにかかわらず外方面を覆うことのできる金属箔成形体を形成することが可能となる。
【図面の簡単な説明】
【００６４】
【図１】この発明の第１の実施の形態による汁受け皿覆いの一部を構成するマット本体の外観形状を示した平面図である。
【図２】図１で示したＩＩ−ＩＩラインの拡大端面図である。
【図３】図１で示したＩＩＩ−ＩＩＩラインの拡大断面図である。
【図４】この発明の第１の実施の形態による汁受け皿覆いの他の一部を構成するフラップ体の外観形状を示した平面図である。
【図５】図４で示したＶ−Ｖラインの拡大断面図である。
【図６】この発明の第１の実施の形態による汁受け皿覆いの使用状態の一例を示した平面図である。
【図７】図６で示したＶＩＩ−ＶＩＩラインの拡大端面図である。
【図８】図６で示したＶＩＩＩ−ＶＩＩＩラインの拡大端面図である。
【図９】この発明の第１の実施の形態による汁受け皿覆いの深さ調整の過程を示した図である。
【図１０】従来のマット本体及びフラップ体の使用状態を示した平面図である。
【図１１】図１０で示したＸＩ−ＸＩラインの拡大端面図である。
【符号の説明】
【００６５】
１…汁受け皿覆い
２…マット本体
３…フラップ体
６、２０…フランジ部
７、２１…立上り部
８、２３…調整部
９、２４…突出部
１０、２５…屈曲部
１１、２２…底部
１４…開口
５０…システムキッチンレンジ
５３…バーナー
５８…ガードプレート
５９…底面
６２…周壁面
尚、各図中同一符号は同一または相当部分を示す。
【図１】
2005299952.tif 000003
【図２】
2005299952.tif 000004
【図３】
2005299952.tif 000005
【図４】
2005299952.tif 000006
【図５】
2005299952.tif 000007
【図６】
2005299952.tif 000008
【図７】
2005299952.tif 000009
【図８】
2005299952.tif 000010
【図９】
2005299952.tif 000011
【図１０】
2005299952.tif 000012
【図１１】
2005299952.tif 000013